【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
圧電アクチュエータのための駆動回路であって、
前記圧電アクチュエータに結合されたインピーダンスであって、前記インピーダンスと前記圧電アクチュエータとは共に、共振周波数を有するタンク回路を形成する、インピーダンスと、
前記アクチュエータを前記共振周波数で駆動する第１の回路であって、前記第１の回路は、前記タンク回路に結合された電流検出器であって、前記回路内の電流の流れを表す電流信号を生じさせる、電流検出器と、前記電流信号を位相シフトさせるための、前記電流検出器に結合されたフィードバックキャパシタとを含む、第１の回路と、
前記位相シフトさせられた電流信号とゲート信号とに応答する第２の回路であって、前記第２の回路は、前記第１の回路を、第１のデューティサイクルで前記アクチュエータが付勢されるようにする第１のモードと、前記第１のデューティサイクルよりも大きな第２のデューティサイクルで前記アクチュエータが付勢されるようにする第２のモードとを含む、少なくとも２つの動作モードのうちの１つで選択的に動作させる、第２の回路とを含み、前記第２の回路が少なくとも１つのＮＡＮＤゲートを含み、前記少なくとも１つのＮＡＮＤゲートが第１の入力としての前記ゲート信号と第２の入力としての前記位相シフトさせられた電流信号を受信し、及び前記第１の回路を動作するための出力信号を生じさせる、圧電アクチュエータのための駆動回路。
【請求項２】
前記第１のモードは、前記駆動回路の始動時に前記アクチュエータを自動的に周期的に付勢することを含む、請求項１に記載の駆動回路。
【請求項３】
前記第２のモードは、前記第２のモードが選択された場合に、前記第１のモードを一時的に無効にする、請求項２に記載の駆動回路。
【請求項４】
前記第２のモードは、ブーストモードの動作を含む、請求項１に記載の駆動回路。
【請求項５】
前記第１のモードでの動作は、第１のレートで前記アクチュエータが揮発性物質を分配するようにさせ、前記第２のモードでの動作は、前記第１のレートよりも大きな第２のレートで前記アクチュエータが前記揮発性物質を分配するようにさせる、請求項１に記載の駆動回路。
【請求項６】
前記第２の回路は、動きの検出に応答して、第３の動作モードで前記第１の回路を動作させる、請求項１に記載の駆動回路。
【請求項７】
前記第１の回路は、スイッチの設定に応答して、前記アクチュエータの相次ぐ付勢の間のドウェル期間を確立する、請求項１に記載の駆動回路。
【請求項８】
前記第１の回路は、フルブリッジトポロジを有する、請求項１に記載の駆動回路。
【請求項９】
前記第１の回路は、ハーフブリッジトポロジを有する、請求項１に記載の駆動回路。
【請求項１０】
前記電流検出器は、前記アクチュエータを通して流れる電流を検出するための電流検知抵抗を含む、請求項１に記載の駆動回路。
【請求項１１】
前記電流検出器は、前記アクチュエータを通して流れる電流を検出するための電流検知ダイオードを含む、請求項１に記載の駆動回路。
【請求項１２】
前記第１の回路は、前記アクチュエータに結合された少なくとも１つのトランジスタを含み、さらに、前記アクチュエータを通して流れる電流を検出するために前記少なくとも１つのトランジスタのオン抵抗を検出する回路を含む、請求項１に記載の駆動回路。
【請求項１３】
前記第２のレートは、約１４パーセントのデューティサイクルであり、かつ約７秒間の継続時間を有する、請求項５に記載の駆動回路。
【請求項１４】
前記第２のレートは、約５０パーセントのデューティサイクルであり、かつブーストスイッチが作動させられている時間の長さによって決定される継続時間を有する、請求項５に記載の駆動回路。
【請求項１５】
前記第１の回路は、位相ロックループをさらに含む、請求項１に記載の駆動回路。
【請求項１６】
前記第２の回路は、ふらついた発振器信号を生じさせる発振器をさらに含む、請求項１に記載の駆動回路。
【請求項１７】
付勢波形によって駆動される少なくとも１つのＬＥＤをさらに含む、請求項１に記載の駆動回路。
【請求項１８】
揮発性物質を分配する圧電アクチュエータのための駆動回路であって、
前記圧電アクチュエータに結合されたインピーダンスであって、前記インピーダンスと前記圧電アクチュエータとは共に、共振周波数を有するタンク回路を形成する、インピーダンスと、
前記アクチュエータを前記共振周波数で駆動する第１の回路であって、前記第１の回路は、前記タンク回路に結合された電流検出器であって、前記タンク回路内の電流の流れを表す電流信号を生じさせる、電流検出器と、前記電流信号を位相シフトさせるための、前記電流検出器に結合されたフィードバックキャパシタとを含む、第１の回路と、
前記位相シフトさせられた電流信号とゲート信号とに応答する第２の回路であって、前記第２の回路は、前記第１の回路を、第１のレートで前記アクチュエータが揮発性物質を分配するようにさせる第１のモードと、前記第１のレートよりも大きな第２のレートで前記アクチュエータが揮発性物質を分配するようにさせる第２のモードとを含む、少なくとも２つの動作モードのうちの１つで選択的に動作させ、前記第１のモードは、前記駆動回路の始動時に前記アクチュエータを自動的に周期的に付勢することを含み、前記第２のモードは、前記第２のモードが選択された場合に前記第１のモードを一時的に無効にする、第２の回路とを含み、前記第２の回路が少なくとも１つのＮＡＮＤゲートを含み、前記少なくとも１つのＮＡＮＤゲートが第１の入力としての前記ゲート信号と第２の入力としての前記位相シフトさせられた電流信号を受信し、及び前記第１の回路を動作するための出力信号を生じさせる、圧電アクチュエータのための駆動回路。
【請求項１９】
前記第２の回路は、動きの検出に応答して、第３の動作モードで前記第１の回路を動作させる、請求項１８に記載の駆動回路。
【請求項２０】
前記第１の回路は、スイッチの設定に応答して、前記アクチュエータの相次ぐ付勢の間のドウェル期間を確立する、請求項１８に記載の駆動回路。
【請求項２１】
前記第１の回路は、フルブリッジトポロジを有する、請求項１８に記載の駆動回路。
【請求項２２】
前記第１の回路は、ハーフブリッジトポロジを有する、請求項１８に記載の駆動回路。
【請求項２３】
前記電流検出器は、前記アクチュエータを通して流れる電流を検出するための電流検知抵抗を含む、請求項１８に記載の駆動回路。
【請求項２４】
前記電流検出器は、前記アクチュエータを通して流れる電流を検出するための電流検知ダイオードを含む、請求項１８に記載の駆動回路。
【請求項２５】
前記第１の回路は、前記アクチュエータに結合された少なくとも１つのトランジスタと、前記アクチュエータを通して流れる電流を検出するために前記少なくとも１つのトランジスタのオン抵抗を検出するための回路とを含む、請求項１８に記載の駆動回路。
【請求項２６】
前記第２の回路は、位相ロックループをさらに含む、請求項１８に記載の駆動回路。
【請求項２７】
前記第２の回路は、ふらついた発振器信号を生じさせる発振器をさらに含む、請求項１８に記載の駆動回路。
【請求項２８】
付勢波形によって駆動される少なくとも１つのＬＥＤをさらに含む、請求項１８に記載の駆動回路。
【請求項２９】
圧電アクチュエータを駆動する方法であって、
前記圧電アクチュエータにインピーダンスを結合するステップであって、前記インピーダンスと前記圧電アクチュエータとは共に、共振周波数を有するタンク回路を形成する、ステップと、
前記アクチュエータを前記共振周波数で駆動する第１の回路を提供するステップであって、前記第１の回路は、前記タンク回路に結合された電流検出器であって、前記タンク回路内の電流の流れを表す電流信号を生じさせる、電流検出器と、前記電流信号を位相シフトさせるための、前記電流検出器に結合されたフィードバックキャパシタとを含む、ステップと、
前記位相シフトさせられた電流信号とゲート信号とに応答する第２の回路を提供するステップであって、前記第２の回路は、前記第１の回路を、第１のデューティサイクルで前記アクチュエータが付勢されるようにする第１のモードと、前記第１のデューティサイクルよりも大きな第２のデューティサイクルで前記アクチュエータが付勢されるようにする第２のモードとを含み、前記第２の回路が少なくとも１つのＮＡＮＤゲートを含み、前記少なくとも１つのＮＡＮＤゲートが第１の入力としての前記ゲート信号と第２の入力としての前記位相シフトさせられた電流信号を受信し、及び前記第１の回路を動作するための出力信号を生じさせる、少なくとも２つの動作モードのうちの１つで選択的に動作させる、ステップとを含む、方法。
【請求項３０】
前記第１のモードは、駆動回路の始動時に前記アクチュエータを自動的に周期的に付勢することを含む、請求項２９に記載の方法。
【請求項３１】
前記第２のモードは、前記第２のモードが選択された場合に、前記第１のモードを一時的に無効にする、請求項２９に記載の方法。
【請求項３２】
前記第２のモードは、ブーストモードの動作を含む、請求項２９に記載の方法。
【請求項３３】
前記第１のモードでの動作は、第１のレートで前記アクチュエータが揮発性物質を分配するようにさせ、前記第２のモードでの動作は、前記第１のレートよりも大きな第２のレートで前記アクチュエータが前記揮発性物質を分配するようにさせる、請求項２９に記載の方法。
【請求項３４】
前記第２のレートは、約１４パーセントのデューティサイクルであり、かつ約７秒間の継続時間を有する、請求項３３に記載の方法。
【請求項３５】
前記第２のレートは、約５０パーセントのデューティサイクルであり、かつブーストスイッチが作動させられている時間の長さによって決定される継続時間を有する、請求項３３に記載の方法。
【請求項３６】
前記第２の回路は、動きの検出に応答して、第３の動作モードで前記第１の回路を動作させる、請求項２９に記載の方法。
【請求項３７】
前記第１の回路は、スイッチの設定に応答して、前記アクチュエータの相次ぐ付勢の間のドウェル期間を確立する、請求項２９に記載の方法。
【請求項３８】
前記第１の回路は、フルブリッジトポロジを有する、請求項２９に記載の方法。
【請求項３９】
前記第１の回路は、ハーフブリッジトポロジを有する、請求項２９に記載の方法。
【請求項４０】
前記電流検出器は、前記アクチュエータを通して流れる電流を検出するための電流検知抵抗を含む、請求項２９に記載の方法。
【請求項４１】
前記電流検出器は、前記アクチュエータを通して流れる電流を検出するための電流検知ダイオードを含む、請求項２９に記載の方法。
【請求項４２】
前記第１の回路は、前記アクチュエータに結合された少なくとも１つのトランジスタを含み、さらに、前記アクチュエータを通して流れる電流を検出するために前記少なくとも１つのトランジスタのオン抵抗を検出する回路を含む、請求項２９に記載の方法。
【請求項４３】
前記第２の回路は、位相ロックループをさらに含む、請求項２９に記載の方法。
【請求項４４】
前記第２の回路は、ふらついた発振器信号を生じさせる発振器をさらに含む、請求項２９に記載の方法。
【請求項４５】
付勢波形によって駆動される少なくとも１つのＬＥＤをさらに含む、請求項２９に記載の方法。